Podtech/llm-jp-corpus-v4-ja_patent huggingface dataset:
(57)【要約】【課題】油脂を粉末化することは食品、洗剤、入浴剤、化粧品、農薬、医薬等などの様々な分野への利用を可能とする。従来の粉末油脂組成物は、油状物質の劣化や油状物質含有量に劣るなどの問題点があった。【解決手段】高分岐環状デキストリンを５〜６０質量％含有する水懸濁液をドラムドライヤーまたは凍結乾燥機にて乾燥させて得られること特徴とする粉末化基材および該粉末化基材を油状物質を添加した粉末油脂組成物の製造法による。【特許請求の範囲】
【請求項１】
高分岐環状デキストリンを５〜６０質量％含有する水懸濁液をドラムドライヤーまたは凍結乾燥機にて乾燥させて得られること特徴とする粉末化基材。
【請求項２】
３２メッシュ〜１４５メッシュの区分が全体の５０％以上であることを特徴とする請求項１記載の粉末化基材。
【請求項３】
該粉末化基材に油状物質を添加することを特徴とする請求項１〜２記載の粉末組成物の製造方法。
【発明の詳細な説明】
【技術分野】
【０００１】
本発明は、油状物質の粉末化基材およびそれを原料とした粉末組成物の製造法に関する。油脂や脂溶性ビタミン、脂溶性の薬剤などの油状物質は食品、洗剤、入浴剤、化粧品、農薬、医薬等などの様々な分野で利用されている。
【０００２】
本発明は、作業性や保存性、嗜好性の向上のため、油状物質を粉末、顆粒、錠剤などの固形分とする技術に関する。
【背景技術】
【０００３】
従来から、澱粉加水分解物の水溶液をドラムドライヤーにて乾燥して得られる粉末が、油状物質や液状物質の粉末化用基材として利用されている。
【０００４】
例えば、引用文献１には、ＤＥ５〜１５の澱粉分解物の水溶液に、可溶性澱粉やポリオールを添加しドラムドライヤーで乾燥し、３２メッシュ〜１４５メッシュの区分が全体の５０％以上を占めることを特徴とした粉末を粉末化基材として利用することが開示されている。
【０００５】
また、本発明の高分岐環状デキストリンは引用文献２に製造法が記載され、引用文献３に粉末油脂の技術が記載されている。
【０００６】
引用文献３は高分岐環状デキストリン、脂肪酸エステルおよび水を混合して粉末状油脂用液体組成物を得る工程、及び該組成物をスプレードライ等にて乾燥する工程にて粉末油脂を製造する技術である。
【特許文献１】特開平８−１４３６０３
【特許文献２】特開平８−１３４１０４
【特許文献３】特開２００３−４９１８９
【発明の開示】
【発明が解決しようとする課題】
【０００７】
しかしながら、引用文献１の物質は、水への分散性は優れているものの、可溶性澱粉やポリオールを添加するために味質が好ましくなく、商品の味に影響を与えるという問題がある。また、油状物質の吸収量も十分とは言い難いものであった。
【０００８】
引用文献３は、スプレードライ等の乾燥工程による脂肪酸エステルの酸化による劣化や作業工程が煩雑であるなどの問題点を有していた。
【課題を解決するための手段】
【０００９】
本発明者等は、上記目的を達成するために鋭意検討を重ねた結果、高度分岐環状デキストリンを５〜６０質量％含有する水懸濁液をドラムドライヤーまたは凍結乾燥機にて乾燥させて得られること特徴とする粉末化基材と該粉末化基材に油状物質を添加することにより解決することを見出した。
【発明の効果】
【００１０】
該粉末化基材に油状物質を添加した粉末組成物は、味質に影響を与えない、油状物質含有量に優れるものである。
【発明を実施するための最良の形態】
【００１１】
本発明で用いられる高分岐環状デキストリンは、内分岐環状構造部分と外分岐構造部分とを有し、重合度が５０以上であるものである。
【００１２】
なお、上記内分岐環状構造部分とは、複数個のグルコースがα−１，４−グルコシド結合とα−１，６−グルコシド結合とで連結された環状構造部分を意味し、上記外分岐構造部分とは、この内分岐環状構造部分に結合した複数個のグルコースからなる非環状構造部分を意味する。
【００１３】
すなわち、本発明で用いられる高度分岐環状デキストリンとは、少なくとも一つのα−１，６−グルコシド結合を有する環状グルカン（内分岐環状構造部分）に、枝状のグルカン（外分岐構造部分）が、α−１，４−又はα−１，６−グルコシド結合を介して連結したものであって、全体の重合度が５０以上のものを意味する。このようなグルカンは、α−１，４−グルコシド結合及びα−１，６−グルコシド結合を有する糖質に、糖転移酵素を作用させることで得ることができる。
【００１４】
本明細書における油状物質は、液状で水と混じり合わない、或いは水に溶解しにくい物質であり、サラダ油、菜種油、綿実油、サフラワー油、ヒマワリ油、トウモロコシ油、コメ油等のように常温で液体状、或いはパーム油、パーム核油、カカオ脂、牛脂肪、豚脂等のように加熱して溶融すると液状になる油脂類、農薬や医薬の主剤、キシレン等の有機溶剤、糖脂質、ステロール類、スフィンゴ脂質、脂溶性の補酵素やビタミン、油性色素や香料等が例示される。
【００１５】
本発明の粉末化基材は、乾燥後にそのまま使用することができるが、粉砕した後に使用することが望ましい。
【００１６】
粉砕の度合いに格段の制限はないが、３２から１４５メッシュの区分が５０質量％以上を占める粒度分布を示すことが好ましい。３２メッシュ以上の区分が多いと、油状物質の吸収量は多くなるが、製品の嵩が大き過ぎる為に包装資材や流通面でのコストアップに繋がる。また、１４５メッシュ以下の区分が多いと、油状物質の吸収量が少なくなるという問題が生じる。
【００１７】
以下、実施例により本発明を具体的に説明するが，本発明は実施例によって限定されるものではない。
【実施例１】
【００１８】
高分岐環状デキストリンの10%（w／w）水溶液を調製し、凍結乾燥機にて乾燥させた。乾燥後のサンプルをミキサーにて1分間粉砕し、最大吸油量の測定試験に供した。
【００１９】
最大吸油量の測定試験はサンプル１gに植物油を少量ずつ攪拌しながら滴下し、ペースト状になった時点を最大吸油量とした。
【００２０】
（比較例１）
各種デキストリンの10%（w／w）水溶液を調製し、凍結乾燥機にて乾燥させた。乾燥後のサンプルをミキサーにて1分間粉砕し、最大吸油量測定試験に供した。
【００２１】
実施例１、比較例１で調製したサンプル及び市販の高吸油性デキストリン（製品名；パインフロー／松谷化学社製）について最大吸油量を測定した結果を表1に示した。
【表１】
2007238824.tif 000002
【実施例２】
【００２２】
高分岐環状デキストリンの４０％（ｗ／ｗ）水溶液を調製し、ドラムドライヤー（１０５℃）にて乾燥させた。乾燥後のサンプルをミキサーにて粉砕し、篩を用いて粒度別にサンプルを分類した後、最大吸油量測定試験に供した。
【００２３】
（比較例２）
各種デキストリンの４０％（ｗ／ｗ）水溶液を調製し、ドラムドライヤー（105℃）にて乾燥させた。乾燥後のサンプルをミキサーにて粉砕し、篩を用いて粒度別にサンプルを分類した後、最大吸油量測定試験に供した。
【００２４】
実施例２、比較例２で調製したサンプル及び市販の高吸油性デキストリン（製品名；パインフロー／松谷化学社製）について最大吸油量を測定した結果を表２に示した。最大吸油量は、実施例１と同様の方法にて測定した。
【表１】
2007238824.tif 000003
(57)【要約】【課題】並列排紙ソート機構の採用を前提として、仕切り部材の退避のためのスペースを抑えることができる排紙装置及び画像形成装置を提供する。【解決手段】排紙トレイ１幅方向中央部に仕切り部材５を設け、この仕切り部材５を挟んで左右に小サイズ紙を排紙してソートする排紙装置であって、排紙口３上方に排紙方向に伸びるように設けた取り付け軸６に、仕切り部材５の上辺を回転自在に取り付け、さらに、仕切り部材５が９０度上方に回転した状態で係止される係止手段８を設けた。【選択図】図３
2007238271.tif 000002
【特許請求の範囲】
【請求項１】
装置本体から排出される用紙を受ける排紙トレイの幅方向中央部に仕切り部材を設け、この仕切り部材を挟んで左右に小サイズ紙を排紙してソートする排紙装置であって、排紙口上方に排紙方向に伸びるように設けた取り付け軸に、仕切り部材の上辺を回転自在に取り付け、さらに、仕切り部材が上方に回転した状態で係止される係止手段を設けた排紙装置を最も主要な特徴とする排紙装置。
【請求項２】
胴内に排紙トレイを備えた胴内排紙構造を備え、排紙トレイの幅方向中央部に仕切り部材を設け、この仕切り部材を挟んで左右に小サイズ紙を排紙してソートする排紙装置であって、排紙口上方に排紙方向に伸びるように設けた取り付け軸に、仕切り部材の上辺を回転自在に取り付け、さらに、仕切り部材が９０度上方に回転した状態でこれを係止する係止手段を設けたことを特徴とする排紙装置。
【請求項３】
請求項１又は２に記載の排紙装置が搭載されることを特徴とする画像形成装置。
【発明の詳細な説明】
【技術分野】
【０００１】
本発明は、排紙装置及び画像形成装置に関する。
【背景技術】
【０００２】
複写機、プリンタ、ファクシミリ装置等の画像形成装置の排紙口に装備される排紙トレイの中央部(幅方向中央部)に仕切り部材を設け、この仕切り部材を挟んで左右に小サイズ紙を排紙してソートする並列排紙ソート機構を備えた排紙装置が既に本出願人より提案されている。
【発明の開示】
【発明が解決しようとする課題】
【０００３】
上記の排紙装置においては、排紙トレイを仕切り部材で仕切ることなく、大サイズ紙を通常に排紙トレイ上に排紙する場合、この仕切り部材を所定位置から退避させなければならない。そのためには退避させるスペースが必要になる。従って退避スペースの確保が難しい小型の画像形成装置には採用しにくいという問題があった。
最近では、小型化を図るために、本体内部の空間を利用してその空間部に排紙トレイを設けて排紙させる、いわゆる、胴内排紙機構が知られている。
【０００４】
本発明は、このような背景に鑑みてなされたものであり、並列排紙ソート機構の採用を前提として、仕切り部材の退避のためのスペースを抑えることができる排紙装置及び画像形成装置を提供することを目的とする。
【課題を解決するための手段】
【０００５】
上記目的を達成するために、請求項１記載の発明は、装置本体から排出される用紙を受ける排紙トレイの幅方向中央部に仕切り部材を設け、この仕切り部材を挟んで左右に小サイズ紙を排紙してソートする排紙装置であって、排紙口上方に排紙方向に伸びるように設けた取り付け軸に、仕切り部材の上辺を回転自在に取り付け、さらに、仕切り部材が上方に回転した状態で係止される係止手段を設けた排紙装置を最も主要な特徴とする。
【０００６】
請求項２の発明は、胴内に排紙トレイを備えた胴内排紙構造を備え、排紙トレイの幅方向中央部に仕切り部材を設け、この仕切り部材を挟んで左右に小サイズ紙を排紙してソートする排紙装置であって、排紙口上方に排紙方向に伸びるように設けた取り付け軸に、仕切り部材の上辺を回転自在に取り付け、さらに、仕切り部材が９０度上方に回転した状態でこれを係止する係止手段を設けたことを特徴とする。
請求項３の発明に係る画像形成装置は、請求項１又は２に記載の排紙装置が搭載されることを特徴とする。
【発明の効果】
【０００７】
本発明は、排紙トレイ幅方向中央部に仕切り部材を設け、この仕切り部材を挟んで左右に小サイズ紙を排紙してソートする排紙装置であって、排紙口上方に排紙方向に伸びるように設けた取り付け軸に、仕切り部材の上辺を回転自在に取り付け、さらに、仕切り部材が９０度上方に回転した状態で係止される係止手段を設けたので、仕切り部材の退避のためのスペースを抑えることができる。
【発明を実施するための最良の形態】
【０００８】
以下、図面を参照して、本発明の実施の形態を詳細に説明する。
図１は本発明の実施の形態に係る排紙装置の斜視図、図２は図１のＡ視図、図３は図１のＢ視図である。
【０００９】
排紙トレイ１は画像形成装置本体１０(図２)の胴内に設けてある。本体壁面（胴内の内壁面）２に形成した排紙口３より用紙が排紙される。胴内底部に位置する排紙トレイ１の幅方向両端には左右(幅方向の内側と外側)に移動可能な一対のジョガーフェンス４が設けてあり、排紙トレイ１の幅方向中央には仕切り部材５を配置する。この仕切り部材５は、その上辺が画像形成装置本体１０側に固定した取り付け軸６により矢印方向へ回動自在に取り付けてある。取り付け軸６は排紙口３の上部に、排紙方向に延びるように設けてある。
【００１０】
板状の仕切り部材５の底部には仕切られる一方の用紙を掬うための折り曲げ部５−１が屈曲形成されている。また排紙トレイ１の中央には、排紙された用紙Ｐが排紙トレイ面に摩擦吸着しないように、台座７が設けてある。
小サイズの用紙Ｐ１、Ｐ２をソートする場合、図１に示すように、例えば仕切り部材５の右側(Ｂ方向からみて)にＰ１を排紙し、左側にＰ２を排紙する。排紙された用紙Ｐ１、Ｐ２はジョガーフェンス４によって仕切り部材５側に揃えられる。ここで仕切り部材５を９０度反時計周り方向に回転させると、用紙Ｐ１は折り曲げ部５−１に掬い上げられて、用紙Ｐ２の上に落下し、重ねられる。
【００１１】
画像形成装置本体１０の胴内の天井部には係止爪８が設けられており、図２、図３に示すように、仕切り部材５が１８０度反時計周り方向に回転したときに折り曲げ部５−１と係止する。通常排紙の際、仕切り部材５を退避させる場合は、係止爪８によって、排紙口３上方で仕切り部材５を係止固定すればよい。胴内排紙機構の場合、排紙トレイ１の上方には十分なスペースがあるから、特別に仕切り部材５の退避スペースを設ける必要がない。
【図面の簡単な説明】
【００１２】
【図１】本発明の実施の形態に係る排紙装置の斜視図である。
【図２】図１のＡ視図である。
【図３】図１のＢ視図である。
【符号の説明】
【００１３】
１  排紙トレイ
３  排紙口
５  仕切り部材
６  取り付け軸
８  係止爪(係止手段)
【図１】
2007238271.tif 000003
【図２】
2007238271.tif 000004
【図３】
2007238271.tif 000005
(57)【要約】【課題】      食器・花瓶・額皿などに、和紙・布・毛糸・写真・フィルムなどの素材を、質感を損なうことなく、高耐久性の貼り絵加工を行う方法。【解決手段】      装飾素材の質感を損なうことなく、装飾素材を挟み込む三層バインダー方式の加工方法を発明することにより、皮膜強度不足および接着強度不足による剥離、装飾素材の変化の課題を解決し、色彩豊かな焼物を提供できることとなった。【選択図】なし【特許請求の範囲】
【請求項１】
焼物面などに和紙・布・毛糸・写真・フィルムなどの装飾素材を貼り絵加工するアクリル酸エステル樹脂による三層バインダー方式の加工方法。
【発明の詳細な説明】
【技術分野】
【０００１】      本発明は、陶器・磁器・せっ器・土器などの焼物面に対して施す、貼り絵加工方法に関する。
【背景技術】
【０００２】      従来より焼物面に金属・宝玉などの異素材による装飾を施す場合において、この種の貼り絵加工及び象嵌加工は存在していた。この例として、特許文献１に開示されているものがある。
【特許文献１】特許公開平９−２７７７９０
【発明の開示】
【発明が解決しようとする課題】
【０００３】      しかし、従来の加工方法では、和紙・布・毛糸などの特有色彩を有する装飾素材の場合および装飾素材が写真・フィルムの場合には、以下の課題を有する。
（ア）焼物面に装飾素材を添付し、高透明度の釉薬にて皮膜する場合は、焼成温度が７００度以上となるため、発火点の低い和紙・布・毛糸・写真・フィルムなどの装飾素材は炭化および退色する。
（イ）焼物面に装飾素材を固定するために使用するフノリ或いはボンドなどの接着剤は、装飾素材の収縮変形および形状変形をもたらす。
（ウ）剥離防止効果が高いとされる柿渋・漆などを固定および皮膜材として塗布する場合は、時間経過により装飾素材に色彩・色調の暗色化・鮮明度変化をもたらす。
（エ）高透明度ラッカーおよび合成樹脂塗料を固定および皮膜材として塗布使用した場合は、皮膜強度および接着強度の不足により、食器洗浄機の洗浄時において、容易に装飾素材の剥離が始まる。
【課題を解決するための手段】
【０００４】      課題を解決するための発明は、（１）陶器・磁器・せっ器・土器などの焼物面にアクリル酸エステル樹脂を塗布し、摂氏６０〜８０度にて４時間強制乾燥。（２）ポリエステル樹脂になじませた装飾素材を焼物面に押圧添付。（３）さらに、剥離防止のためにアクリル酸エステル樹脂を塗布し、摂氏４５〜６０度にて１２時間強制乾燥。
以上の３段階の加工を施すことを特徴とする。
【発明の効果】
【０００５】      アクリル酸エステル樹脂は、光沢・耐候性・耐水性・耐薬品性が良く、鮮明な色調を得るのに適し、透明度の高い強靭・安定した樹脂であり、有機ガラス・歯科材料・接着剤・塗料などで産業上も広く使用されている。本発明の効果は、焼物面にアクリル酸エステル樹脂により装飾素材を挟み込む三層バインダー方式の加工を行なうことにより、皮膜強度不足および接着強度不足による剥離、装飾素材の変化の課題を解決し、色彩豊かな焼物を提供できることとなった。
【実施例】
【０００６】      以下に本発明を陶器に装飾素材の美濃和紙を貼り絵加工する実施例で説明する。
（１）釉薬を施された本焼の陶器の外部の下地処理として、アクリル酸エステル樹脂を刷毛で２〜３回塗布する。これは、素地から上塗剤への不要な成分または有害物質の浸出防止、目止め剤の固定、素地を保護強化、付着性の改善などのためである。大きな凹凸のある素地の平滑化のためには、各種のヘラを使用する。７０度に暖めたオーブンの中で４時間強制乾燥。
（２）美濃和紙を適当な大きさに切り、ポリエステル樹脂に５分間浸し、前述の下地処理を施した焼物面に添付し、任意にちぎり絵装飾を行なう。焼物面との接着性高めるためにコテ・ヘラなどで押圧し余分な空気を排除する。ポリエステル樹脂は、塗膜が内部から硬化していくので上乾きの心配がないが、硬化性が高いので迅速を要す。
（３）装飾工程を終え、約１０分後には上塗工程を行なう。この工程では、アクリル酸エステル樹脂を刷毛にて５回程度の繰り返し塗布をおこない、約７００マイクロメートルの塗膜を施す。これを、４５度に暖めたオーブンの中で１２時間強制乾燥をおこなう。
（４）上記工程を行なうことにより、美濃和紙を変色させることなく陶器に貼り絵加工できるが、樹脂を変化させる液体などでの使用も考えられるため、陶器の内側にはこの加工を施さないことが望ましい。
【産業上の利用可能性】
【０００７】      本発明により、食器・花瓶・額皿などに、素材の質感を損なわず、個性的で趣味性の高い装飾効果を有することが可能となり、また耐久性に富むことから実用品としての応用範囲が広がるという効果を有する。
(57)【要約】【課題】従来の、注ぐ時に蓋が落ちないようにしている蓋付容器の多くは、蓋の嵌合をきつくしたりして蓋の落下を防いでいるために、力を加えて蓋の脱着をしなければならず、或いは特別な動作をしなければならず面倒であり、とりわけ力の弱いお年寄や体の不自由な方達には至って不便である。それに従来品の急須やヤカンなどには、可愛さ面白さがあまり感じられない。【解決手段】容器の後ろ側に、容器を装飾し、かつ、蓋を押し支える役目をさせる飾りを装着し、この飾りが、傾斜軸或は斜線を中心にした状態で、重力に従って一定範囲内を移動の出来る構成にした。これにより注ぐために容器を傾けると、飾りが、重力の方向へ傾き、或は回転したりして動いて移動し、蓋に近接して干渉し、押し支えて、自然に蓋の落下を防いでくれるので簡単便利であり、しかも飾りの可愛さ面白さで、容器を使う人の心をなごませてくれる。【選択図】図１
2007238172.tif 000002
【特許請求の範囲】
【請求項１】
容器の後ろ側に、容器を装飾する飾りを装着している蓋付容器であって、この飾りが、傾斜軸を中心にした状態で、重力に従って一定範囲内を移動する構成になっていて、注ぐために容器を傾けると、飾りが、重力に従って蓋の方向に移動し、近接或は干渉して、蓋の落下を防ぐことを特徴とする。
【発明の詳細な説明】
【技術分野】
【０００１】  本発明は、注ぐ時に容器を傾けても蓋が落ちないようにした蓋付容器に関する。
【背景技術】
【０００２】  従来の、注ぐ時に蓋の落ちないようにした蓋付容器には、蓋の嵌合いを、きつくしたものが多くある。【０００３】  又、磁石の吸着力を利用したり、蓋に突起を設けたりして蓋の落下を防ぐものもある。【０００４】  更に、振り子式の支え具で蓋を保持する方式のもの等、色々ある。【０００５】
【実用新案文献１】
平０５−４４０１８
【実用新案文献２】
平０５−５６０２６
【実用新案文献３】
平１０−３０５２５２６号【特許文献１】  平１１−５６６４０
【発明の開示】
【発明が解決しようとする課題】
【０００６】  解決しようとする問題点は、注ぐ時に容器を傾けても蓋の落ちないようにした従来の蓋付容器の多くが、蓋の嵌合いを、きつくしているために力を加えて蓋の脱着をしなければならず面倒であり、力の弱いお年寄りや体の不自由な方達には使いにくく不便である。【０００７】  そして磁石の吸着力で蓋を保持するものは、磁気の関係で容器の材質が制限され、また磁力で余分なものまで吸着する恐れもある。【０００８】  それから蓋の脱着に際し、突起部付の蓋を横に回したり或は斜めにしたり、特別な動作をして蓋を保持するのもあるが、これは直接に蓋を手で押さえる手間と余り変わらない。【０００９】  又、水平軸を中心にして動く、振り子式の支え具で蓋を保持する方式のものは、単に蓋が落ちないようにしているだけであって、味気なく、可愛さや面白さが感じられない。【０００１０】  本発明は、この様な従来の蓋付容器が有している問題点を、解決しようとするものであり、蓋の脱着に際して余分な力を加える必要がなく、蓋の持ち上げ、持ち下げ以外に特別な動作をする必要もなく、熱湯にも冷水にも使えて、注ぐ時に何もしなくても自然に蓋の落下が防げる便利さに加え【００１１】  容器に可愛さ面白さを備えさせ、多くの家庭で毎日のように使われている蓋付容器を、もっと楽しく使えるようにするために、なされたものである。
【課題を解決するための手段】
【００１２】  そして本発明は、上記目的を達成するため容器の後ろ側に、容器を装飾し、かつ、蓋の落下を防ぐ役目をもさせる、飾りを装着し、この飾りが、傾斜軸或は斜線を中心にして、重力に従って一定範囲内を、傾き、あるいは回転したりして移動し、そして重力に従って又元の位置に戻る構成にして、注ぐために容器を傾けると、飾りが重力に従って蓋の方向に移動し、蓋に近接干渉して押し支えるようにした。【００１３】  こうすることにより、注ぐために容器を傾けると、自然に飾りが蓋を押し支えて落下を防ぎ、そして容器を可愛く飾る。【００１４】  尚、この蓋を支える飾りは、犬などの動物やカボチャなどの野菜や、或はイヤリングとかネックレスの類など、様様な種類の形にしても良い。【００１５】  そして蓋付容器もヤカンの類や、急須の類や水差しの類や、或はこれらを組み合わせたもの等、色々な種類の形のものでも良い。
【発明の効果】
【００１６】  上述したように本発明の、容器を装飾し、その上更に、蓋を支える役目もする飾りを装着した蓋付容器は、特別な材質の制限もなく製作が容易で、しかも蓋の嵌合いが、きつくないので蓋の脱着に余分な力は要らず、蓋の持ち上げ、持ち下げ以外の特別な動作も必要なく、注ぐ時に何もしなくても自然に飾りが蓋を支えるので、手で蓋を押える必要はなく便利に使える。【００１７】  これは片手で簡単に取扱いができるので、力の弱いお年寄や体の不自由な方達に、介護用としても使って頂くことができる。【００１８】  その上更に、飾りの可愛さや面白さで、容器を使う人の心をなごませることが出来る。【００１９】  この飾りは、動物や植物の生物と無生物とを問わず、色色な物の形にすることができるので、各人それぞれの好みに合わせた形の飾りにして提供することが可能である。
【発明を実施するための最良の形態】
【００２０】  以下、本発明の実施の形態を図に基づいて説明する。【００２１】  蓋付容器の後ろ側の、注ぎ口とは反対側に、容器３を装飾する飾り１を装着している。（図１と図２参照）【００２２】  この飾り１は、傾斜軸を中心にして重力に従って一定範囲内を傾き又は回転し、或いは横に動いて移動し、そして又、重力に従って元の位置に戻る構成にしている。【００２３】  こうすることにより、注ぐために容器３を傾けると、ビールジョッキで乾杯、を表現する飾り１が重力に従って傾き、両横から少し回転しながら蓋２の方向に移動して、飾り１は蓋２に近接し干渉するので、蓋２は押し支えられて落ちなくなる。（図３参照）
【実施例１】
【００２４】  飾り１は、片方にのみ装着しても良い。（図４乃至図６参照）
【実施例２】
【００２５】  そして又、飾り１を取手柄の根元中央部側に装着してもよい。（図７又は図８参照）
【図面の簡単な説明】
【００２６】
【図１】本発明の側面図
【図２】背面図
【図３】注ぐために容器を傾けた時の、部分拡大側面図
【図４】他の実施例による場合の側面図
【図５】図４の部分拡大背面図
【図６】図４の例による場合で、注ぐために容器を傾けた時の側面図
【図７】図４とは別の実施例による場合の、部分拡大背面図
【図８】図７の例による場合で、注ぐために容器を傾けた時の側面図
【符号の説明】
【００２７】１  蓋を支える飾り
２  蓋
３  容器本体
４  取手
【図１】
2007238172.tif 000003
【図２】
2007238172.tif 000004
【図３】
2007238172.tif 000005
【図４】
2007238172.tif 000006
【図５】
2007238172.tif 000007
【図６】
2007238172.tif 000008
【図７】
2007238172.tif 000009
【図８】
2007238172.tif 000010
(57)【要約】      （修正有）【課題】病人が寝たままでも飲め、ウォーキングやジョギング、車の運転中、仕事をしながら安易に飲料水を飲める蓋付き容器を提供する。【解決手段】蓋付き容器入り飲用水等の蓋を改良加工し、アタッチメントを取り付け、また簡易の蓋を取り付けることを特徴とする。【選択図】図１
2007238174.tif 000002
【特許請求の範囲】
【請求項１】
樹脂製、ガラス製、金属製等容器の蓋を改良加工した簡易飲み口
【請求項２】
蓋に吸い込み口および吸気口を設け、それぞれ両方または片方に逆止弁および、それに類する装置を取り付けたもの、または全くそのような装置の付いていないものも含みます
【請求項３】
吸い込み口および吸気口には、それぞれ補助具を取り付けて取り扱いを容易に出来る構造とします
補助具（アタッチメント）の取り付け方法は、貫通型と装着型とします
【発明の詳細な説明】
【考案の効果】
仕事中や自動車乗車中に蓋付き容器入りの飲料水が手軽に飲める
病気療養中の人が、らく飲みを使用しないで飲料が飲める
ウォーキングやジョギングしながら手軽に飲料を飲むことができる
【図面の簡単な説明】
【図１】考案の断面概要図
【図２】考案の平面概要図
【図３】考案の飲み口、吸気口それぞれに蓋付きの図
【図４】考案の上部全体の蓋付きの図
【符号の説明】
図中の記号の説明
Ａ，Ｂは、それぞれ飲み口または吸気口
Ｃは内容物の漏れ防止材
Ｄは飲み口、吸気口への異物混入防止、漏れ防止の蓋
Ｅは蓋の取り付け材
【図１】
2007238174.tif 000003
【図２】
2007238174.tif 000004
【図３】
2007238174.tif 000005
【図４】
2007238174.tif 000006
(57)【要約】【課題】気密性を確保しチャック閉じ端部の見栄えを向上した合成樹脂製袋体を提供する。【解決手段】スライダー４で開閉させるチャック３付きの合成樹脂製袋体１において、前記スライダー４によるチャック３の閉じ端部側におけるチャック３とサイドシール２とに渡る袋体隅角部に気密シール５を施すと共に、前記スライダー４内側に配置されている開口ガイド４ａをスライド方向の中央に配置しスライダー天部Ｗでチャック閉じ端部の隙間７を隠蔽するようにした。【選択図】図１
2007238168.tif 000002
【特許請求の範囲】
【請求項１】
スライダーで開閉させるチャック付きの合成樹脂製袋体において、前記スライダーによるチャックの閉じ端部側におけるチャックとサイドシールとに渡る袋体隅角部に気密シールを施すと共に、前記スライダー内側に配置されている開口ガイドをスライド方向の中央に配置しスライダー天部でチャック閉じ端部の隙間を隠蔽するようにしたことを特徴とする合成樹脂製袋体。
【発明の詳細な説明】
【技術分野】
【０００１】
本発明は、気密性を保持した合成樹脂製袋体に関するものである。
【背景技術】
【０００２】
図４及び図５で示すようにサイドシール２が施され、開口部にスライダー４によって開閉されるチャック３を備えた合成樹脂製袋体１において、前記スライダー４によるチャック３の閉じ端部にはスライダー４内先端の開口ガイド４ａによってチャック３の端部を分離しているため、これによりチャック３の閉じ端部には袋体内外を連通する隙間７ができてエアーが出入りし気密性に難点があり、通気を嫌う内容物においては変質等の不具合をもたらしていると共に前記隙間７は見栄えを悪くしていた。
【特許文献１】特願平２−２３１３２公報
【特許文献２】ＷＯ２００３−０２２６９７公報
【特許文献３】特開２００４−０８３０６８公報
【発明の開示】
【発明が解決しようとする課題】
【０００３】
本発明は、上記従来の問題点に鑑みて、気密性を確保しチャック閉じ端部の見栄えを向上した合成樹脂製袋体を提供することである。
【課題を解決するための手段】
【０００４】
上記の課題を解決するための本発明は、請求項１に記載の通り、スライダーで開閉させるチャック付きの合成樹脂製袋体において、前記スライダーによるチャックの閉じ端部側におけるチャックとサイドシールとに渡る袋体隅角部に気密シールを施すと共に、前記スライダー内側に配置されている開口ガイドをスライド方向の中央に配置しスライダー天部でチャック閉じ端部の隙間を隠蔽するようにしたことを特徴とするものである。
【発明の効果】
【０００５】
本発明の合成樹脂製袋体によると、チャックの閉じ端部側における袋体隅角部に気密シールを施すことによりチャックの閉じ端部側における気密性を確保する。また、スライダー内側に配置されている開口ガイドをスライド方向の中央に配置することによりスライダー天部でチャック閉じ端部の隙間が隠蔽され見栄えをよくし品質を向上した合成樹脂製袋体を提供することができる効果を有している。
【発明を実施するための最良の形態】
【０００６】
以下本発明を実施するための最良の形態を図面に基づいて説明する。図１において１は両側がサイドシール２されている合成樹脂製の袋体であり、その開口部にはスライダー４によって開閉する雌雄咬合型のチャック３が設けられている。
【０００７】
本発明は前記スライダー４によるチャック３の閉じ端部側におけるチャック３とサイドシール２とに渡る袋体隅角部に気密シール５を施す。
【０００８】
上記気密シール５は図示では三角形であるが、三角形に限定するものではなく、チャック３とサイドシール２とに渡る三角形の底辺を凹円弧状としたり、四角形などチャック３の閉じ端部における隙間７を介して袋体内外の連通を遮断する形状であればよい。
【０００９】
さらに、本発明は前記スライダー４内側に配置されている開口ガイド４ａをスライド方向Ｓの中央に配置しスライダー天部Ｗでチャック閉じ端部の隙間７を隠蔽するようにしたものである。
【００１０】
本発明は上記の通りの構造であるから、チャック３の閉じ端部側におけるチャック３とサイドシール２とに渡る袋体隅角部に気密シール５を施したため、チャック３の閉じ端部に具現する隙間７を介して袋体内外の連通を遮断し気密状態を保持する。
【００１１】
また、スライダー４内側に配置されている開口ガイド４ａをスライド方向Ｓの中央に配置することにより、チャック３の閉じ端部においてスライダー４はサイドシール２の近傍までスライドして位置することができ、これによりスライダー天部Ｗはチャック３の閉じ端部に具現する隙間７が隠蔽され見栄えをよくし品質を向上する。
【００１２】
このように、本発明はチャック３の閉じ端部側におけるチャック３とサイドシール２とに渡る袋体隅角部に気密シール５が施すことにより、チャック３の閉じ状態においてチャック３の端部に具現する隙間７を介して袋体内外の連通を遮断し気密状態を確保して内容物の変質等を防止することができる上に、スライダー４内側に配置されている開口ガイド４ａをスライド方向Ｓの中央に変更配置した簡単な構造によりチャック３の閉じ端部においてスライダー４はサイドシール２の近傍までスライドして位置させることができ、これによりスライダー天部Ｗでチャック３の閉じ端部に具現する隙間７を隠蔽し見栄えをよくし品質を向上する利点を有している。
【図面の簡単な説明】
【００１３】
【図１】本発明によるチャック閉じ端部の要部断面図
【図２】図１のＡ矢視図
【図３】本発明によるチャック閉じ端部の斜視図
【図４】従来例のチャックの閉じ端部を袋体内側より視た図
【図５】従来のチャック閉じ端部の斜視図
【符号の説明】
【００１４】
１      袋体
２      サイドシール
３      チャック
４      スライダー
４ａ    開口ガイド
５      気密シール
【図１】
2007238168.tif 000003
【図２】
2007238168.tif 000004
【図３】
2007238168.tif 000005
【図４】
2007238168.tif 000006
【図５】
2007238168.tif 000007
(57)【要約】      （修正有）【課題】乗用車等の屋根等の断熱を効果的に出来るようにした断熱システム工法を提供する。【解決手段】断熱材を基材に貼り付けて断熱するだけでなく、夏季には暖気を外部へ排出し、冬季には暖気を通風させて、断熱効果を高める。構成は、断熱材に気流が流れるように溝等を施し、断熱能力を超えた暖気、冷気等を通風することにより断熱効率を高める。断熱材への気流の取り込みは、夏季においては外部より取入、冬季においてはエアコンにより暖められた空気を循環させることにより行う。【選択図】図１
2007238065.tif 000002
【特許請求の範囲】
【請求項１】
本件は、乗用車等の屋根を、工夫して、断熱効果を高めることにより、乗車空間を快適に過ごせる事を目的とした、乗用車等の屋根の断熱方法である。
【請求項２】
断熱性能を高めるために、断熱材の中を通風することにより、熱の排気、換気を考慮した断熱システム工法である。
【発明の詳細な説明】
【技術分野】
【０００１】  本件は、乗用車等の屋根等の断熱を効果的に出来るようにした、断熱システム工法である。【０００２】  断熱材を基材に貼り付けて断熱するだけでなく、夏季には暖気を外部へ排出し、冬季には暖気を通風させて、断熱効果を高めた工法である。【０００３】  構成は、断熱材を気流が流れるように溝等を施し、断熱能力を超えた暖気、冷気等を通風することにより断熱効率を高めたものである。【０００４】  断熱材への気流の取り込みは、夏季においては外部より取入、冬季においてはエアコンにより暖められた空気を循環させることにより行う。【０００５】  本件は、乗用車だけでなく列車、航空機等にも利用可能である。【０００６】  少量であるが換気システムとしての機能も期待できる。
【背景技術】
【０００７】  主として、夏季においての自動車等の車内の熱気は、かなりの温度となりエアコンによる冷房は電気系統へ負担が大きい、本件のように断熱を効果良く行うことにより、エアコン効率も上がり経済的に効果が期待できる。
【発明が解決しようとする課題】
【０００８】  乗用車を利用する場合、夏季における日射による乗用空間の暑さは、エアコンを利用したとしても、効果は限られており、少しでもエアコンの消費電力を軽減するために、効率の良い屋根断熱を施すために考案した方法である。
【課題を解決するための最良の形態】
【０００９】  詳しい構造及び形態の説明は、図１、図２、図３によります．
【産業上の利用可能性】
【００１０】  たとえば列車や航空機等に取り付けることで、効果的に利用が期待できる。
【図面の簡単な説明】
【００１１】
【図１】  システム説明図
【図２】  システム詳細説明図
【図３】  断熱材説明図  図１  ３面図  図２  立体説明図
【符号の説明】
【００１２】  １．  断熱材
２．  通風経路
３．  車内仕上
４．  取入口
５．  排出口、換気口
６．  車内流入口（冬季）
７．  車内取入口（冬季）
【図１】
2007238065.tif 000003
【図２】
2007238065.tif 000004
【図３】
2007238065.tif 000005
(57)【要約】      （修正有）【課題】ゴムボートへのモーターマウント取付けを迅速に行い、かつその固定に強度を持たせる。【解決手段】ゴムボート本体に加工されたモーターマウント取付け用のＤ型金具にバー状の本製品を差込み、先端の可動式カム４を１８０度回転させて使用する為、ロープを使用せず迅速に取り付けが可能である。また、三つのカム２の溝３にＤ型金具が咬み込む事で固定されると同時に、１８０度回転させた可動式カムにより本製品がロックされ、更に可動式カム内部に設けられたバネの戻る力によりＤ型金具が抑え込まれ、この三重の固定によってモーターの振動などによる横ズレ、ガタつきなどを防止する。【選択図】図１
2007238061.tif 000002
【特許請求の範囲】
【請求項１】
先端にノブネジ、中央に等間隔で固定された、溝を有するカム、逆先端に３６０度回転する半月型の可動式カム、で構成されたバー状のゴムボート用モーターマウント取付け金具。
【請求項２】
中央に等間隔で固定されたカムに、ガタつき、緩み防止の為に、ゴムボートに標準加工されたＤ型金具幅の溝を設けたこと、
逆先端に設けた半月型のカムを、Ｄ型金具と本発明を固定する為に３６０度回転する可動式カムにしたこと、
Ｄ字金具の固定力を高める為に半月型の可動式カムの内部に、Ｄ型金具を押さえ込む事を目的としたバネを設けたこと、
を特徴とした請求項１記載のバー状のゴムボート用モーターマウント取付け金具。
【請求項３】
ロープに代わってバー状の金具を利用し、ゴムボートに標準加工されたＤ型金具に差し込む様にして通してモーターマウントを固定することを特徴とした請求項１又は２記載のバー状のゴムボート用モーターマウント取付け金具。
【発明の詳細な説明】
【技術分野】
【０００１】  本発明はモーターマウント固定バー、より詳しくは四つのＤ型金具が標準加工されたゴムボートへのモーターマウントの取り付けを迅速に行うことを可能にし、その固定に強度を持たせる事を目的としたモーターマウント固定金具に関する。
【発明の開示】
【発明が解決しようとする課題】
【０００２】  ゴムボートへのエレキモーター使用の際にモーターマウントを固定する為には、ゴムボートに標準加工された四つのＤ型金具と付属のロープを使用するのが通常である。【０００３】  具体的な従来のモーターマウント取付け方法は、標準加工された四つのＤ型金具の内、ゴムボート上面に並べて加工された三つのＤ型金具をモーターマウント側の三つ穴に差し込み、穴から突き出したＤ型金具と、ゴムボートの内側のチューブに加工された四つ目のＤ型金具に付属のロープを何重にも編込む様にして通して行き、結んで固定する方法である。【０００４】  この方法はロープを何重にも編込む様に通して結ぶ手間が必要となる、又、人力によって結ぶ為、エレキモーターの振動などによってロープが緩むなどの危険性が否めない。【０００５】  そこで本発明はゴムボートへのモーターマウント取付けを迅速に行い、かつその固定に強度を持たせる事を目的とする。
【課題を解決するための手段】
【０００６】上記課題を解決するために、請求項１のモーターマウント固定バーは、先端にノブネジ、中央に等間隔で固定された溝を有するカム、逆先端に３６０度回転する半月型の可動式カム、とで構成した。
【発明の効果】
【０００７】  本発明は以上のように構成されていることから、ロープを使用する必要がなく、代わりにバー型の本製品をゴムボートに標準加工された三つのＤ型金具へ差し込む様に通す方法で、ロープを結ぶ手間を省いた迅速な取付けを可能にし、又、三つのカムに設けたＤ型金具幅の溝と、先端の３６０度回転する可動式カムにより、ガタつき、緩みを防ぎ、エレキモーターの振動、馬力への耐久力を高めた構造になっている。ゆえに上記課題を解決するものである。
【発明の実施するための最良の形態】
【０００８】  以下、Ｄ型金具が標準加工されたゴムボートにエレキマントを迅速に取付け、かつその固定に強度を持たせる目的を達成するために、上記のとおり構成された本発明をどのように使用してモーターマウントを取付けるのか、図面を参照しながら述べる。
【０００９】  図１は本発明の構成を示す斜視図である。
【００１０】  ゴムボートへモーターマウントを取付ける際に本発明を使用する方法は、まず、モーターマウントの三つ穴に、ゴムボートのチューブの上面に並べて標準加工された三つのＤ型金具を差し込む。
【００１１】  次にモーターマウントの三つ穴から突き出した三つのＤ型金具に本発明を差し込む様にして通す。この時、ゴムボートのチューブを押す様に力を加えて差し込む。
【００１２】  図１−▲３▼溝の位置にＤ型金具が来たら、チューブを押していた力を緩め、図１−▲３▼溝にＤ型金具を咬み込ませて固定させる。
【００１３】  図１−▲４▼可動式カムを外側に引っ張りながら１８０度回転させてロックし、次に手を離して回転した状態の図１−▲４▼可動式カムを元の位置に戻す。
【図面の簡単な説明】
【００１４】
【図１】本発明の構成を示す傾斜図
【図２】図１−▲４▼可動式カムが回転する事を示す傾斜図
【符号の説明】
【００１５】図１−▲１▼ノブナット
図１−▲２▼カム
図１−▲３▼溝
図１−▲４▼可動式カム
【図１】
2007238061.tif 000003
【図２】
2007238061.tif 000004
(57)【要約】      （修正有）【課題】足腰の虚弱者や長距離歩行が困難な中にも、旅行や買い物を楽しみとする方は大勢居ます、しかし旅行カバンを軽便に運搬の上、乗り換えや移動時など腰掛希望時の要求を満たす、開閉自在な折り畳み椅子を備えた旅行用カートを提供する。【解決手段】キャリーカート本体１の左右支柱に、上下移動可能な回転軸６を有する腰掛支柱７のパイプ枠の下部に、緩衝車輪の構造を持つ回転キャスター５を設置し、腰掛支柱８の枠で、カート本体の下部支柱に、回転可能にて固定する軸９を有する構造とし、腰掛部３を開く事によって、腰掛部設置を安全かつ容易にした。手押し用握り棒及び肘掛部材２を脱着可能及び高さ調整構造とし、足置き板１０も腰掛時は設置使用するが、キャスターカート本体のみの使用時には、荷受台として補助的に使用可能とする。【選択図】図１
2007238066.tif 000002
【特許請求の範囲】
【請求項１】
キャリーカートに類するもので、折り畳み腰掛を内蔵し，必要時にはすみやかに腰掛部が設置され、腰掛搭乗者及び介助者が、安全且つ心地よく利用できる上で必要な部品を脱着や組み立て可能にて備具するトラベルカート。
【発明の詳細な説明】
【技術分野】本発明は、折り畳み自在な腰掛を内蔵すると共に、腰掛者が安心して心地よく搭乗でき、加えて介助者が安全に操作を可能とする為に必要な、脱着や組み立て可能な部品を備具するキャリーカートに関するものである。
【背景技術】通常のキャリーカートは、旅行カバン等、荷物の搬用手段として製作されており、近年増加の一途を辿る高齢化を考慮したり、身障者を考慮しての、運搬道具としては、腰掛部が無く、旅行等には不便であった。
尚、先行技術が示す、特許公開番号２００４−０４２７６１号のキャリーカートに於いては、搭乗者の椅子のみが主目的であり、本案の思考及び技術には至っていない。
【発明の開示】
本発明は、近年叫ばれている−福祉の観点から、老齢者や身障者を介助する立場に立って、更には乳幼児を連れての母親の立場に立って、旅行等を容易にする、利便性を提供する事にある。
【発明が解決しようとする課題】
車椅子を使用するには至らない足腰の虚弱者、高齢者や乳幼児を連れての旅行や買い物の希望者の増加みるものの、腰掛椅子を備えた旅行用カートはなく、不便を極めた。
本発明は、これらの問題点を解決する為になされたものである。
【課題を解決する為の手段】
搭乗者の要ある時は、速やかに腰掛を設置出来る構造とし、乗り心地及び安全性を損なう事なく、介助者の操作性や安全性を高める為の、脱着と組み立てを容易にする部品を内蔵すると共に、従来のキャリーカートの性能を保持させた。
【発明の効果】
１  従来のキャリーカートは旅行カバンや荷物の搬送用であり、腰掛け部を兼用する物は不備であった。本案は目的に応じて使い分けたり、兼用する事が容易に可能とした事である。
２  遠路や長期に亘る旅行又乗り継ぎや待ち時間などの腰掛希望時には、速やかに腰掛部の設置が容易な事から、安楽で快適な旅行や買い物を可能とする。
３  通常のキャリーカートの性能を損なう事なく、旅行や日常の買い物等に使用出来、腰掛部にも荷物の積載可能にて、利用の範囲を広げた。
４  内蔵備具する手押し用握り棒及び、肘掛部材は組み立てが容易で有り、かつ高さ調整が可能な事により、搭乗者のより良い乗り心地を提供し、介助者の運行操作の安全性を高めた。
５  内蔵備具する足置き板はキャリーカート本体のみの使用時には、荷受け台として補助的に使用が可能である。
６  前輪と後輪のそれぞれの設置内径に異差を与える事により、折り畳み時の必要空間を最小限に抑える事が出来る。
７  走行時に受ける振動を軽減させる為に、キャスター車輪及び固定軸内に、弾性体を設置施す事により、より良い乗り心地を提供する。
【発明を実施するための最良の形態】
2007238066.tif 000003
【図面の簡単な説明】
【図１】  本発明の腰掛使用時の状況を示す説明図
【図２】  本発明の腰掛折り畳み収納状況を示す説明図
【符号の説明】
１  キャリーカート本体
２  キャリーカート手押し握り棒及び肘掛
３  折り畳み腰掛
４  本体固定キャスター
５  回転キャスター
６  移動回転軸
７  移動回転軸付き、腰掛支柱
８  固定回転軸付き、腰掛支柱
９  固定回転軸
１０  足置き板
【図１】
2007238066.tif 000004
【図２】
2007238066.tif 000005
(57)【要約】      （修正有）【課題】フロントガラスの左右の支え枠は、通常不透明であり、運転席からの至近視野の妨げとなり、交通事故の一因となっており、これを解決する。【解決手段】車のフロントガラス３の左、右の支え枠１，２の適切な位置に、外を見透かすことが出来る縦長の小窓を設ける。又、ドア枠４や雨除け用のバイザー６についても、至近視野の妨げとなる部分には透明な素材を用い、運転中、特に交差点での左、右折の際、至近視野を最大限確保し、歩行者や自転車等との事故を防止する。【選択図】図１
2007238062.tif 000002
【特許請求の範囲】
【請求項１】
車のフロントガラスの左、右の支え枠が至近視野の妨げになっているが、その支え枠の適切な位置に縦長の小窓を設け、運転中に透かして外が見える様に改良したもの。
【請求項２】
上記の支え枠に設けた小窓と重なる仕様のドア枠については、その部分には透明な素材を用いる。
又、支え枠と重ならない仕様のドア枠についても、至近視野の妨げとなる部分に透明な素材を用いる。
【請求項３】
雨除け用のバイザーについても、至近視野の妨げとなる部分については、やはり透明で且つ、ひずみの無い素材を用いる。
【発明の詳細な説明】
【技術分野】
【０００１】本発明は、車の安全運転の為、種々の改良をし至近視野を確保したものである。
【背景技術】
【０００２】従来、フロントガラスの左、右の支え枠は主として支えとしての機能しか無く、その上に不透明であった。
【発明の開示】
【発明が解決しようとする課題】
【０００３】その為に、次の様な問題点があった。
（イ）運転席からは左、右の不透明な支え枠が左、右の至近視野の妨げとなっていた。
（ロ）特に、交差点での左、右折の際に歩行者や自転車等の姿をすばやく察知しにくかった。
本発明は、これらの問題点を解決する為になされたものである。
（課題を解決する為の手段）【０００４】フロントガラスの左、右の支え枠の適切な位置に縦長の小窓を設け、運転中に透かして外が見える様にする。
又、ドアを閉めた時に上記の小窓と重なる仕様のドア枠については、その部分には透明な素材を用いる。
又、支え枠と重ならない仕様のドア枠についても、至近視野の妨げとなる部分に透明な素材を用いる。
更に、雨除け用のバイザーについても、至近視野の妨げとなる部分に透明で且つ、ひずみの無い素材を用いる。
【発明の効果】
【０００５】以上の改良を施せば左、右の至近視野が広がり、交差点での車どうしの事故や特に、左、右折時の歩行者や自転車等との事故は大幅に減少する。
（発明を実施する為の最良の形態）【０００６】以下、本発明の形態について、乗用車で説明する。
（イ）図１の（１）の運転席側の支え枠で説明すると、従来の支え枠の様に不透明な枠でなく、図２の（５）の様に適切な位置に縦長の小窓を設け、外が見える様にする。
（ロ）ドアを閉めた時、図１の（１）の支え枠と重なる仕様のドア枠  図１の（４）については（イ）で設けた小窓と重なる部分については透明な素材を用いる。又、支え枠と重ならない仕様のドア枠についても至近視野の妨げとなる部分に透明な素材を用いる。
（ハ）雨除け用のバイザー図３の（６）についても、至近視野の妨げとなる部分に透明で且つ、ひずみの無い素材を用いる。
本発明は以上の様な構成で、車の運転者の至近視野を確保する為に、その妨げとなる部分に透明な素材を用い、すばやく外を見透かせる様にしたものである。
【図面の簡単な説明】
【０００７】
【図１】乗用車の斜視図
【図２】本発明の拡大図
【図３】乗用車の側面図
【符号の説明】
【０００８】１      フロントガラスの運転席側の支え枠
２          同上        助手席側の支え枠
３      フロントガラス
４      ドア枠
５      １及び２の拡大図
６      雨除け用のバイザー
【図１】
2007238062.tif 000003
【図２】
2007238062.tif 000004
【図３】
2007238062.tif 000005